(57)【要約】      （修正有）【課題】スリット材を高精度で配置して、かつ、位置ずれを防止できる耐震スリット施工方法を提供する。【解決手段】耐震スリット施工方法は、腰壁の両側面を覆う一対の型枠２０Ａ、２０Ｂを建て込んで、これら一対の型枠２０Ａ、２０Ｂの間の壁厚方向に配置されて一端側から他端側に向かうに従って幅が広くなるスリット材３０を配置するとともに、このスリット材３０に一対の型枠２０Ａ、２０Ｂ同士を連結するセパレータ２１を貫通させるステップと、一対の型枠２０Ａ、２０Ｂの間にコンクリートを打設するステップと、一対の型枠２０Ａ、２０Ｂを解体するとともに、スリット材３０をこのスリット材３０の広くなっている側に引き抜くことで、スリット材３０を取り外すステップと、を備える。【選択図】図３
2014141819.tif 000002
【特許請求の範囲】
【請求項１】
柱または梁である鉄筋コンクリート造の構造体と、当該構造体に連続して設けられた鉄筋コンクリート造の非耐力壁と、の接合部分に、耐震スリットを形成する耐震スリット施工方法であって、
前記非耐力壁の両側面を覆う一対の型枠を建て込んで、当該一対の型枠間の壁厚方向に配置されて一端側から他端側に向かうに従って幅が広くなるスリット材を配置するとともに、当該スリット材に前記一対の型枠同士を連結する連結部材を貫通させる工程と、
前記一対の型枠の間にコンクリートを打設する工程と、
前記一対の型枠を解体するとともに、前記スリット材を当該スリット材の広くなっている側に引き抜くことで、前記スリット材を取り外す工程と、を備えることを特徴とする耐震スリット施工方法。
【請求項２】
鉄筋コンクリート造の柱または梁である構造体と、当該構造体に接合された鉄筋コンクリート造の非耐力壁と、の接合部分の型枠にスリット材を支持させるスリット材支持構造であって、
前記非耐力壁の両側面を覆う一対の型枠と、
当該一対の型枠間の壁厚方向に配置されるスリット材と、
当該スリット材を貫通し前記一対の型枠同士を連結する連結部材と、を備えることを特徴とするスリット材支持構造。
【請求項３】
前記スリット材は、壁厚方向の一端側から他端側に向かうに従って幅が広くなることを特徴とする請求項２に記載のスリット材支持構造。
【請求項４】
前記スリット材は、木材または合成樹脂で形成されており、
当該スリット材の表面には、剥離剤が塗布されている、または、メラミン化粧板が貼り付けられていることを特徴とする請求項２または３に記載のスリット材支持構造。
【発明の詳細な説明】
【技術分野】
【０００１】
本発明は、スリット材をコンクリートに打ち込んで耐震スリットを形成する耐震スリットの施工方法およびこのスリット材の支持構造に関する。
【背景技術】
【０００２】
従来より、柱や梁などの鉄筋コンクリート造の構造体に、鉄筋コンクリート造の非耐力壁を連続して設ける場合がある。この場合、地震時に、構造体の挙動が非耐力壁に拘束されて構造体が大きく損壊するおそれがあるため、構造体と非耐力壁との接合部分にスリット材を打ち込んで、耐震スリットを設けることが多い。
【０００３】
この耐震スリットは、例えば、以下の手順で構築される。まず、非耐力壁と構造体との接合部分にスリット材を固定して、このスリット材を挟み込むように型枠を建て込む。次に、この型枠内にコンクリートを打設する。その後、スリット材を脱型したり、あるいは、スリット材をそのままコンクリート躯体に打ち込んだりすることで、耐震スリットとする。
【０００４】
ここで、スリット材を鉄筋材に固定する方法としては、スリット材をなまし線（番線）で直接鉄筋材に縛り付けて固定する方法（特許文献１参照）や、スリット材に棒状のつなぎ材を設けておき、このつなぎ材をなまし線で鉄筋材に縛り付けて固定する方法（特許文献２参照）がある。
【先行技術文献】
【特許文献】
【０００５】
【特許文献１】特許第３３１２７２４号公報
【特許文献２】特開２００６−３７３４５号公報
【発明の概要】
【発明が解決しようとする課題】
【０００６】
しかしながら、特許文献１、２の方法では、スリット材をなまし線で鉄筋材に固定しているため、コンクリート打設時にスリット材が生コンクリートに押されてなまし線が切れてしまい、スリット材の位置がずれるおそれがあった。その結果、スリット材の取付け箇所ではコンクリートのかぶり厚を確保できない、という問題があった。
また、鉄筋材は精度よく配筋されない場合があるため、スリット材を鉄筋材に固定した場合には、スリット材を高い精度で配置できないおそれがあった。
【０００７】
本発明は、スリット材を高精度で配置して、かつ、位置ずれを防止できる耐震スリット施工方法およびスリット材支持構造を提供することを目的とする。
【課題を解決するための手段】
【０００８】
請求項１に記載の耐震スリット施工方法（例えば、後述の耐震スリット施工方法１）は、柱または梁である鉄筋コンクリート造の構造体（例えば、後述の柱１１）と、当該構造体に連続して設けられた鉄筋コンクリート造の非耐力壁（例えば、後述の腰壁１２）と、の接合部分に、耐震スリット（例えば、後述の耐震スリット１０）を形成する耐震スリット施工方法であって、前記非耐力壁の両側面を覆う一対の型枠（例えば、後述の型枠２０Ａ、２０Ｂ）を建て込んで、当該一対の型枠間の壁厚方向に配置されて一端側から他端側に向かうに従って幅が広くなるスリット材（例えば、後述のスリット材３０）を配置するとともに、当該スリット材に前記一対の型枠同士を連結する連結部材（例えば、後述のセパレータ２１）を貫通させる工程（例えば、後述のステップＳ１〜Ｓ４）と、前記一対の型枠の間にコンクリートを打設する工程（例えば、後述のステップＳ５）と、前記一対の型枠を解体するとともに、前記スリット材を当該スリット材の広くなっている側に引き抜くことで、前記スリット材を取り外す工程（例えば、後述のステップＳ６）と、を備えることを特徴とする。
【０００９】
請求項２に記載のスリット材支持構造は、鉄筋コンクリート造の柱または梁である構造体と、当該構造体に接合された鉄筋コンクリート造の非耐力壁と、の接合部分の型枠にスリット材を支持させるスリット材支持構造であって、前記非耐力壁の両側面を覆う一対の型枠と、当該一対の型枠間の壁厚方向に配置されるスリット材と、当該スリット材を貫通し前記一対の型枠同士を連結する連結部材と、を備えることを特徴とする。
【００１０】
請求項３に記載のスリット材支持構造は、前記スリット材は、壁厚方向の一端側から他端側に向かうに従って幅が広くなることを特徴とする。
【００１１】
この発明によれば、スリット材を壁厚方向に貫通し、非耐力壁の両側面を覆う一対の型枠同士を連結するように、連結部材を配置した。よって、コンクリート打設時にスリット材が生コンクリートに押されても、連結部材を介してスリット材を型枠で支持するので、スリット材の位置がずれるのを防止できる。したがって、スリット材の取付け箇所でコンクリートのかぶり厚を確保できる。
また、スリット材を一対の型枠に取り付けるので、スリット材を高精度で配置できる。
【００１２】
また、型枠を解体する際に、スリット材をこのスリット材の広くなっている側に引き抜くことで、スリット材の取り外しが容易となるので、スリット材を繰り返し使用できる。
また、スリット材をコンクリート止めとして用いることで、構造体と非耐力壁とで異なる種類のコンクリートを打設することができる。
【００１３】
請求項４に記載のスリット材支持構造は、前記スリット材は、木材または合成樹脂で形成されており、当該スリット材の表面には、剥離剤が塗布されている、または、メラミン化粧板が貼り付けられていることを特徴とする。
【００１４】
この発明によれば、スリット材を木材または合成樹脂で形成したので、スリット材を軽量化でき、取り扱いが容易となる。
また、スリット材の表面に剥離剤を塗布した、または、メラミン化粧板を貼り付けた。よって、スリット材がコンクリート躯体から剥離し易くなり、コンクリート打設後にスリット材をコンクリート躯体から容易に取り外すことができる。
【発明の効果】
【００１５】
本発明によれば、スリット材を壁厚方向に貫通し、非耐力壁の両側面を覆う一対の型枠同士を連結するように、連結部材を配置した。よって、コンクリート打設時にスリット材が生コンクリートに押されても、連結部材を介してスリット材を型枠で支持するので、スリット材の位置がずれるのを防止できる。したがって、スリット材の取付け箇所でコンクリートのかぶり厚を確保できる。また、スリット材を一対の型枠に取り付けるので、スリット材を高精度で配置できる。また、型枠を解体する際に、スリット材をこのスリット材の広くなっている側に引き抜くことで、スリット材の取り外しが容易となるので、スリット材を繰り返し使用できる。また、スリット材をコンクリート止めとして用いることで、構造体と非耐力壁とで異なる種類のコンクリートを打設することができる。
【図面の簡単な説明】
【００１６】
【図１】本発明の一実施形態に係る耐震スリット施工方法により構築された耐震スリットの斜視図である。
【図２】前記実施形態に係る耐震スリット施工方法のフローチャートである。
【図３】前記実施形態に係る耐震スリットの施工方法を説明するための分解斜視図である。
【図４】前記実施形態に係る耐震スリットの施工方法を説明するための断面図である。
【発明を実施するための形態】
【００１７】
以下、本発明の一実施形態について、図面を参照しながら説明する。
図１は、本発明の一実施形態に係る耐震スリット施工方法１により構築された耐震スリット１０の斜視図である。
【００１８】
耐震スリット１０は、鉄筋コンクリート造の構造体としての柱１１と、この柱１１に連続して設けられた鉄筋コンクリート造の非耐力壁としての腰壁１２と、の接合部分に設けられる。
耐震スリット１０は、腰壁１２の壁厚方向に延びて、壁厚方向の一端側から他端側に向かうに従って幅が広くなっている。
【００１９】
この耐震スリット１０の施工方法１について、図２のフローチャートに沿って、図３および図４を参照しながら説明する。
まず、ステップＳ１では、柱１１の柱筋１４を配筋して、この柱１１の一部の型枠を建て込むとともに、腰壁１２の両側面を覆う型枠のうちの片方の型枠２０Ａを建て込む。この型枠２０Ａには、連結部材としてのセパレータ２１、単管２２、およびフォームタイ（登録商標）２３を取り付けておく。
【００２０】
ステップＳ２では、腰壁１２の壁筋１３を配筋する。具体的には、縦筋１３１および横筋１３２をダブル配筋する。
ステップＳ３では、壁厚方向に延びて一端側から他端側に向かうに従って幅が広くなるように、スリット材３０を型枠２０Ａに取り付ける。このとき、壁筋１３の横筋１３２は、このスリット材３０に対してかぶり厚を確保できるように切断しておく。
【００２１】
スリット材３０は、木材または合成樹脂で形成されており、このスリット材３０の表面には、剥離剤が塗布されている、または、メラミン化粧板が貼り付けられている。また、スリット材３０は、平面視で、長さが腰壁１２の壁厚に等しく、かつ、壁厚方向の一端側から他端側に向かうに従って幅が広くなっている。さらに、このスリット材３０には、上下方向の所定間隔おきに、水平に延びる貫通孔３１が形成されている。
【００２２】
具体的には、型枠２０Ａのセパレータ２１を、スリット材３０の貫通孔３１に挿通することで、スリット材３０を型枠２０Ａに取り付ける。
【００２３】
ステップＳ４では、柱１１の残る型枠を建て込むとともに、腰壁１２の残る型枠２０Ｂを建て込んで、一対の型枠２０Ａ、２０Ｂの間にスリット材３０を挟み込む。
さらに、型枠２０Ｂから突出したセパレータ２１にフォームタイ２３を取り付けて、このフォームタイ２３で単管２２を締め付ける。これにより、腰壁１２の両側面を覆う一対の型枠２０Ａ、２０Ｂは、セパレータ２１で互いに連結されるとともに、スリット材３０は、これら一対の型枠２０Ａ、２０Ｂの間に配置される。
【００２４】
ステップＳ５では、一対の型枠２０Ａ、２０Ｂの内部にコンクリートを打設する。
ステップＳ６では、一対の型枠２０Ａ、２０Ｂを解体するとともに、スリット材３０をこのスリット材３０の広くなっている側に引き抜くことで、スリット材３０を取り外す。その後、このスリット材３０を取り外した部分に別の部材を取り付けるか、あるいは、スリット材３０を取り外したそのままの状態とすることで、耐震スリット１０を形成する。
【００２５】
本実施形態によれば、以下のような効果がある。
（１）スリット材３０を壁厚方向に貫通し、腰壁１２の両側面を覆う一対の型枠２０Ａ、２０Ｂ同士を連結するように、セパレータ２１を配置した。よって、コンクリート打設時にスリット材３０が生コンクリートに押されても、セパレータ２１を介してスリット材を型枠２０Ａ、２０Ｂで支持するので、スリット材３０の位置がずれるのを防止できる。したがって、スリット材３０の取付け箇所でコンクリートのかぶり厚を確保できる。
また、スリット材３０を一対の型枠２０Ａ、２０Ｂに取り付けるので、スリット材３０を高精度で配置できる。
また、型枠２０Ａ、２０Ｂを解体する際に、スリット材３０をこのスリット材の広くなっている側に引き抜くことで、スリット材３０の取り外しが容易となるので、スリット材３０を繰り返し使用できる。
【００２６】
（２）スリット材３０を木材または合成樹脂で形成したので、スリット材３０を軽量化でき、取り扱いが容易となる。
また、スリット材３０の表面に剥離剤を塗布した、または、メラミン化粧板を貼り付けた。よって、スリット材３０がコンクリート躯体から剥離し易くなり、コンクリート打設後にスリット材３０をコンクリート躯体から容易に取り外すことができる。
【００２７】
なお、本発明は前記実施形態に限定されるものではなく、本発明の目的を達成できる範囲での変形、改良等は本発明に含まれるものである。
例えば、本実施形態では、スリット材３０を腰壁１２の壁厚方向の一端側から他端側に向かうに従って幅が広くなるように形成したが、これに限らず、スリット材を腰壁１２の壁厚方向に一様の幅となるように形成してもよい。
また、本実施形態では、セパレータ２１の両端にＰコンを取り付けていないが、セパレータの両端にＰコンを取り付けてもよい。
【符号の説明】
【００２８】
１…耐震スリット施工方法
１０…耐震スリット
１１…柱（構造体）
１２…腰壁（非耐力壁）
１３…壁筋
１４…柱筋
２０Ａ、２０Ｂ…型枠
２１…セパレータ（連結部材）
２２…単管
２３…フォームタイ
３０…スリット材
３１…貫通孔
１３１…縦筋
１３２…横筋
【図１】
2014141819.tif 000003
【図２】
2014141819.tif 000004
【図３】
2014141819.tif 000005
【図４】
2014141819.tif 000006